(57)【要約】【課題】装置前面側が低くなるように傾斜した入出金口における、紙幣の視認性の向上を目的とする。【解決手段】内部に繰出される紙幣及び外部に放出される紙幣が収納され、該紙幣の堆積方向の前方が下側に傾斜する収納部と、前記収納部の前方に配置され、可視光を照射する照射手段と、前記照射手段より照射された可視光を透過する第１の透過部を有する凹部、及び前記収納部に収納された紙幣を保持する凸部を備えた保持部材と、を備える。【選択図】図９
2015225622.tif 000002
【特許請求の範囲】
【請求項１】
現金自動取引装置に搭載される紙幣取扱装置であって、
内部に繰出される紙幣及び外部に放出される紙幣が収納され、該紙幣の堆積方向の前方が下側に傾斜する収納部と、
前記収納部の前方に配置され、可視光を照射する照射手段と、
前記照射手段より照射された可視光を透過する第１の透過部を有する凹部、及び前記収納部に収納された紙幣を保持する凸部を備えた保持部材と、を備えることを特徴とする、紙幣取扱装置。
【請求項２】
請求項１に記載の紙幣取扱装置であって、
前記第１の透過部は、第１の部分と、該第１の部分より可視光の透過率が低い第２の部分とを有する、紙幣取扱装置。
【請求項３】
請求項１に記載の紙幣取扱装置であって、
前記収納部を開閉するシャッタと、
前記収納部の上方に配置されているとき、前記照射手段により照射された可視光を透過する第２の透過部と、を備える、紙幣取扱装置。
【請求項４】
請求項１に記載の紙幣取扱装置であって、
前記照射手段を複数設け、
一部の前記照射手段の光軸を、前記収納部の上方に向ける、紙幣取扱装置。
【請求項５】
請求項１に記載の紙幣取扱装置であって、
装置を制御する制御部を備え、
前記制御部は、前記照射手段を点灯するように制御し、所定の時間が経過後に、前記収納部に紙幣が残留している場合、前記照射手段を点灯から点滅に変更するように制御する、紙幣取扱装置。
【発明の詳細な説明】
【技術分野】
【０００１】
本発明は、紙幣取扱装置に関する。
【背景技術】
【０００２】
紙幣取扱装置は、金融機関、小売店舗、駅の構内等に設置され、利用者自身の操作によって取引が実行される現金自動預払機（Ａｕｔｏｍａｔｅｄ  Ｔｅｌｌｅｒ  Ｍａｃｈｉｎｅ：ＡＴＭ）等に実装され、利用者により投入された紙幣や、利用者に提供する紙幣が収納される入出金口と、金庫内に設置された紙幣収納庫との間において、紙幣を搬送する装置である。
【０００３】
入出金口には、収納された紙幣を照射するための照射手段（ランプ等）を設けている。照射手段を設けることにより、紙幣の視認性の向上や、紙幣の入出金口からの取忘れ防止が可能となる。このような技術として、特許文献１には、「入金時には顧客が入金紙幣を入れ、出金時には装置内から繰り出される出金紙幣を入れる紙幣投入部のシャッタを駆動して紙幣投入口を開いたときに点灯する照明ランプを紙幣投入部内の左右に設ける」旨の記載がある。
【先行技術文献】
【特許文献】
【０００４】
【特許文献１】特開２００４−１３９６１４号公報
【発明の概要】
【発明が解決しようとする課題】
【０００５】
特許文献１に記載の紙幣入出金機の場合、装置前面側（利用者側）が低くなるように傾斜した入出金口において、装置後方側に照射手段を設置している。装置後方側に照射手段を設置した場合、装置前面側に光が照射され、利用者の目に光が直接射し込まれる可能性があるため、望ましくない。
【０００６】
一方、装置前面側に照射手段を設置した場合、装置後方側に光が照射されるため、利用者の目に光が直接射し込まれることを防止可能である。しかし、入出金口に収納された紙幣は、装置前面側（すなわち、照射手段側）に倒れ込むため、照射手段から照射された光が、堆積された紙幣に遮られてしまい、紙幣の視認性の向上が困難である。
【０００７】
そこで、本発明では、装置前面側が低くなるように傾斜した入出金口における、紙幣の視認性の向上を目的とする。
【課題を解決するための手段】
【０００８】
上記の課題を解決するために、本発明は、内部に繰出される紙幣及び外部に放出される紙幣が収納され、該紙幣の堆積方向の前方が下側に傾斜する収納部と、前記収納部の前方に配置され、可視光を照射する照射手段と、前記照射手段より照射された可視光を透過する第１の透過部を有する凹部、及び前記収納部に収納された紙幣を保持する凸部を備えた保持部材と、を備えることを特徴とする。
【発明の効果】
【０００９】
本発明によれば、紙幣の視認性を向上させることが可能となる。また、紙幣の入出金口からの取忘れ防止が可能となる。
【図面の簡単な説明】
【００１０】
【図１】実施例１における、現金自動預払機の外観斜視図である。
【図２】実施例１における、現金自動預払機の機能ブロック図である。
【図３】実施例１における、紙幣取扱装置の構成図である。
【図４】実施例１における、紙幣取扱装置の機能ブロック図である。
【図５】実施例１における、入金動作を説明する図である。
【図６】実施例１における、入金動作を説明する図である。
【図７】実施例１における、入金動作を説明する図である。
【図８】実施例１における、出金動作を説明する図である。
【図９】実施例１における、入出金口の詳細構造を示す図である。
【図１０】実施例１における、押板の構造を示す図である。
【図１１】実施例３における、入出金口の詳細構造を説明する図である。
【図１２】実施例４における、入出金口の詳細構造を説明する図である。
【図１３】実施例５における、照射装置の動作を説明する図である。
【発明を実施するための形態】
【００１１】
［実施例１］
以下、図１〜図１０に示した図を用いて、第１の実施形態について詳細に説明する。
図１は、現金自動預払機の外観斜視図である。現金自動預払機１は、紙幣取扱装置２と、通帳取扱装置３と、明細票発行装置４と、カード取扱装置５と、操作装置６と、から構成される。
【００１２】
紙幣取扱装置２は、紙幣を取り扱う装置である。紙幣取扱装置２は、利用者による紙幣の投入及び利用者に対する紙幣の放出を行う入出金口２１を介して、紙幣の入金処理、出金処理、鑑別処理などを実行する。また、紙幣取扱装置２の下部には、紙幣が保管される紙幣収納庫が設けられており、紙幣収納庫は金庫筐体で囲まれている。紙幣取扱装置の詳細な構成については、後述する。
【００１３】
現金自動預払機１の入金取引において、紙幣取扱装置２は、利用者によって入出金口２１に投入された紙幣を、紙幣収納庫まで搬送し、収納する処理を実行する。また、現金自動預払機１の出金取引において、紙幣取扱装置２は、紙幣収納庫から紙幣を取り出し、当該紙幣を入出金口２１まで搬送して、利用者に払い出す処理を実行する。このように、紙幣取扱装置２は、利用者により投入された紙幣や、利用者に提供する紙幣を入出金口２１に収納すると共に、入出金口２１と紙幣収納庫との間において、紙幣を搬送する。
【００１４】
通帳取扱装置３は、通帳を取り扱う装置である。通帳取扱装置３は、取引時に使用される通帳の挿入及び排出を実行し、挿入された通帳への印字を実行し、通帳に貼付された磁気ストライプの情報の読取や、磁気ストライプへの情報の書込を実行する。
【００１５】
明細票発行装置４は、取引明細票を発行する装置である。明細票発行装置４は、明細票発券口を介して、取引明細が印字された明細票の排出を実行する。
【００１６】
カード取扱装置５は、磁気ストライプカードやＩＣカードを取り扱う装置である。カード取扱装置５は、カード挿入口を介して、取引時に使用される利用者のキャッシュカードなどの挿入及び排出を実行する。また、カードに付加された磁気ストライプやＩＣチップの情報の読取・磁気ストライプやＩＣチップへの情報の書込を実行する。
【００１７】
操作装置６は、ＬＣＤ（Ｌｉｑｕｉｄ  Ｃｒｙｓｔａｌ  Ｄｉｓｐｌａｙ）等からなり、利用者へ取引内容や操作案内を表示する表示装置と、暗証番号入力や取引選択等の操作に供される入力装置とから構成される。なお、入力装置には、ボタン式、タッチパネル式等、様々な方式を適用可能であるが、タッチパネル式の入力装置を用いる場合は、タッチパネルとＬＣＤとを重ね合わせた構成としても良い。
【００１８】
なお、図１には示されていないが、硬貨の入金処理、出金処理、鑑別処理などを実行する硬貨処理装置を備えていても良い。
【００１９】
図２は、現金自動預払機１の機能ブロック図である。上述した現金自動預払機１に搭載される各装置は、バス７を介して本体制御部８と接続されており、本体制御部８の制御の下に必要な動作を行う。また、上記各装置は、電源部（図示せず）により電力を供給される。
【００２０】
図３は、紙幣取扱装置２の構成図である。図面において、右側が装置前面側（利用者側）、下側が重力方向である。紙幣取扱装置２は、入出金口２１と、鑑別装置２２と、一時保管庫２３と、返却用一時保管庫２４と、紙幣収納庫２５ａ〜２５ｅと、紙幣搬送路２６と、金庫Ａと、から構成される。
【００２１】
入出金口２１は、紙幣取扱装置２の装置前面側に設けられ、利用者により投入された紙幣や、利用者に提供する紙幣が収納される。この入出金口２１は、装置前面側が装置後面側より低くなるように傾斜している。
【００２２】
入出金口２１は、紙幣が収納される収納部２１１と、収納部２１１を開閉するシャッタ２１２と、収納部２１１内の紙幣を分離する分離ローラ２１３と、分離された紙幣を繰り出すフィードローラ２１４と、紙幣を集積するシートローラ２１５とが設けられている。また、入出金口２１の装置前面側には、収納部２１１内の紙幣を照射する照射手段２１９が設けられている。
【００２３】
収納部２１は、内部に繰出される紙幣及び外部に放出される紙幣が収納され、紙幣の堆積方向の前方が下側に傾斜するように構成されている。
【００２４】
鑑別装置２２は、搬送された紙幣の金種、真偽及び状態を取得し、判別を実行する装置である。鑑別装置２２は、装置前面側から装置後面側へ搬送される紙幣の判別、及び装置後面側から装置前面側へ搬送される紙幣の判別を実行する。判別は、イメージセンサ（センサ）により、紙幣の図柄等を読み取り、読み取られた画像を処理することにより実行される。そして、鑑別装置２２は、紙幣の金種や真偽の判別結果に基づき、入金された紙幣の搬送先（現金自動預払機１で受け付けるか、利用者に返却するかを含む）を決定する。
【００２５】
なお、鑑別装置２２は、各々の紙幣の固有情報（例：紙幣に印刷された記番号など）を読み取ることにより、同一の金種、真偽若しくは状態の紙幣が複数であっても、別個の紙幣として認識することが可能である。
【００２６】
一時保管庫２３は、紙幣取扱装置２の装置後面側に設けられる。一時保管庫２３は、入金された紙幣の内、鑑別装置２２において現金自動預払機１で受け付けることに決定された紙幣を、取引成立までの間、一時的に保管する。一時保管庫２３は、後述する紙幣搬送路２６により搬送された紙幣を集積する動作と、集積された紙幣を１枚ずつ分離して紙幣搬送路２６へ繰り出す動作とを実行する。
【００２７】
返却用一時保管庫２４は、紙幣取扱装置２の装置後面側かつ一時保管庫２３の下側に設けられる。返却用一時保管庫２４は、入金された紙幣の内、鑑別装置２２で利用者に返却することが決定された紙幣を、返却までの間、一時的に保管する。返却用一時保管庫２４は、一時保管庫２３と同様に紙幣の集積動作と繰出動作とを実行する。
【００２８】
紙幣収納庫２５ａ〜２５ｅは、紙幣を金種別に収納する収納容器（スタッカ）である。紙幣を収納する場合、紙幣収納庫２５ａ〜２５ｅに搭載された集積機構（図示せず）を用いて、紙幣搬送路２６から受け取った紙幣を集積する。また、紙幣を繰り出す場合、紙幣収納庫２５ａ〜２５ｅに搭載された分離機構（図示せず）を用いて、集積された紙幣を１枚ずつ分離して紙幣搬送路２６に繰り出す。なお、集積機構と分離機構とを組み合わせた構造（分離集積機構）としても良い。
【００２９】
また、紙幣収納庫２５ａ〜２５ｅは、紙幣取扱装置２から取り外すことが可能であり、他の紙幣収納庫からの紙幣回収や、他の紙幣収納庫への紙幣補充などの運用に用いることを可能である。さらに、運用において、紙幣収納庫２５ａ〜２５ｅの内、１つの紙幣収納庫を偽札の回収や、利用者により取り忘れられた紙幣（取り忘れ紙幣）の収納に用いることも可能である。
【００３０】
紙幣搬送路２６は、紙幣が搬送される経路である。紙幣搬送路２６は、複数の搬送ローラ、搬送ベルト及びガイド板によって構成され、分岐点には搬送方向を切り替えるゲートを設けている。搬送ローラ、搬送ベルトは、モータによって駆動され、任意の速度、任意の方向へ紙幣を搬送するように構成されている。また、紙幣搬送路２６には、複数のセンサが設けられており、紙幣の搬送状況の監視や、紙詰まり（紙幣ジャム）の検出が可能である。
【００３１】
金庫Ａは、厚さ２０〜５０ｍｍの金属製の筺体であり、紙幣収納庫の盗難防止用に設けられる。すなわち、金庫Ａ内には、少なくとも紙幣収納庫２５ａ〜２５ｅが収納されていれば良いが、図３では、紙幣収納庫２５ａ〜２５ｅの他に、鑑別装置２２、一時保管庫２３及び返却用一時保管庫２４が収納された状態を示している。また、金庫Ａには、鍵付きの扉が設けられており、紙幣収納庫２５ａ〜２５ｅの運用時や、紙幣取扱装置２の保守管理時に、扉を開けることにより、紙幣収納庫２５ａ〜２５ｅや紙幣取扱装置２を引出可能としている。
【００３２】
図４は、紙幣取扱装置２の機能ブロック図である。上述した紙幣取扱装置２に搭載される各装置は、紙幣制御部２７と接続されており、紙幣制御部２７の制御の下に必要な動作を行う。すなわち、紙幣制御部２７は、本体制御部８からの指令を現金自動預払機１のバス７を介して受信し、当該指令に基づき各機構及び構成部分を制御する。本体制御部８の制御の下に必要な動作を行う。また、上記各装置は、電源部（図示せず）により電力を供給される。
【００３３】
次に、紙幣取扱装置２における入金動作について説明する。図５〜図７は、紙幣取扱装置２の入金動作を説明する図である。これらの図の内、図５は、入出金口２１から一時保管庫２３又は返却用一時保管庫２４への搬送動作を示す図であり、図６は、返却用一時保管庫２４から入出金口２１への搬送動作を示す図であり、図７は、一時保管庫２３から紙幣収納庫２５ａ〜２５ｅへの搬送動作を示す図である。なお、これらの図において、紙幣搬送路２６上に示す矢印は、紙幣の搬送方向である。
【００３４】
操作装置６において入金取引が選択されたことを検出した場合、本体制御部８は、紙幣取扱装置２に対して入金動作の開始を指示する。その後、紙幣制御部２７は、入金動作を実行する。
【００３５】
最初に、紙幣制御部２７は、シャッタ２１２を開状態にする（すなわち、収納部２１１の上方から退避させる）ように制御する。その後、収納部２１１の内部に紙幣が投入されるまで待機状態となる。待機状態において、照射手段２１９は、収納部２１１内部の照射や、紙幣の投入位置を示すような照射を行う。紙幣制御部２７は、収納部２１１内部に紙幣が投入されたことをセンサ（図示せず）により検出した後、シャッタ２１２を閉状態にする（すなわち、収納部２１１の上方に配置させる）ように制御する。
【００３６】
その後、紙幣制御部２７は、収納部２１１内の紙幣を整列させるように、押板２１６の動作を制御する。紙幣の整列後、紙幣制御部２７は、収納部２１１の内部に収納された紙幣を、分離ローラ２１３により分離し、フィードローラ２１４により繰り出すように制御する。これにより、収納部２１１に収納された紙幣は、１枚ずつ紙幣搬送路２６に受け渡される。
【００３７】
図５に示すように、紙幣制御部２７は、入出金口２１より繰り出された紙幣を、鑑別装置２２を通過するように紙幣搬送路２６を制御する。鑑別装置２２は、搬送された紙幣の金種、真偽及び状態を紙幣１枚毎に取得し、紙幣の判別を実行し、判別結果に基づき搬送先を決定する。その後、紙幣制御部２７は、鑑別装置２２を通過した紙幣を、当該判別結果に基づき、一時保管庫２３又は返却用一時保管庫２４に搬送するように紙幣搬送路２６を制御する。具体的には、受付可能と判定された紙幣を一時保管庫２３へ続く経路に搬送し、返却と判定された紙幣を返却用一時保管庫２４へ続く経路に搬送するように、ゲートを振り分けるように制御する。一時保管庫２３および返却用一時保管庫２４は、紙幣搬送路２６によって搬送された紙幣を受け取り、内部に収納する。
【００３８】
入出金口２１に投入された紙幣が全て搬送された後、図６に示すように、紙幣制御部２７は、返却用一時保管庫２４に集積され、１枚ずつ繰り出された紙幣を、入出金口２１に返却するように紙幣搬送路２６を制御する。その後、入出金口２１は、紙幣搬送路２６から紙幣を受け取り、フィードローラ２１４により収納部２１１内に引き込むと共に、シートローラ２１５により紙幣を揃えながら紙幣の集積を行う。返却用一時保管庫２４に集積された紙幣を入出金口２１に全て搬送した後、紙幣制御部２７は、シャッタ２１２を開状態にするように制御する。これにより、利用者に対して紙幣が返却される。
【００３９】
一方、利用者に対する金額確認と入金取引の最終確認により取引が成立した後、図７に示すように、紙幣制御部２７は、一時保管庫２３に集積され、１枚ずつ繰り出された紙幣を、鑑別装置２２を通過するように紙幣搬送路２６を制御する。鑑別装置２２は、再度、搬送された紙幣の金種、真偽及び状態を紙幣１枚毎に取得し、紙幣の判別を実行し、判別結果に基づき搬送先を決定する。その後、紙幣制御部２７は、鑑別装置２２を通過した紙幣を、当該判別結果に基づき、紙幣収納庫２５ａ〜２５ｅのいずれかに搬送するように紙幣搬送路２６を制御する。このとき、例えば紙幣収納庫２５ａ〜２５ｅの内、１つの紙幣収納庫を真偽判定で偽と判定された紙幣の回収専用として運用しても良い。
【００４０】
次に、紙幣取扱装置２における出金動作について説明する。図８は、紙幣取扱装置２の出金動作を説明する図である。
【００４１】
操作装置６において出金取引が選択されたことを検出した場合、本体制御部８は、紙幣取扱装置２に対して出金動作の開始を指示する。その後、紙幣制御部２７は、出金動作を実行する。
【００４２】
最初に、紙幣制御部２７は、紙幣収納庫２５ａ〜２５ｅに集積され、１枚ずつ繰り出された紙幣を、鑑別装置２２を通過するように紙幣搬送路２６を制御する。このとき、各紙幣収納庫２５ａ〜２５ｅは、出金の金額に応じて所定の枚数の紙幣をタイミングをずらして繰り出す。鑑別装置２２は、搬送された紙幣の金種、真偽及び状態を紙幣１枚毎に取得し、紙幣の判別を実行し、判別結果に基づき搬送先を決定する。その後、紙幣制御部２７は、搬送先が入出金口２１と決定された紙幣を、入出金口２１に搬送するように制御する。なお、鑑別装置２２により、入出金口２１に搬送することが望ましくないと判別された紙幣が生じた場合、各紙幣収納庫２５ａ〜２５ｅは、対応する金種の紙幣を追加して繰り出す。
【００４３】
その後、入出金口２１は、紙幣搬送路２６から紙幣を受け取り、フィードローラ２１４により収納部２１１内に引き込むと共に、シートローラ２１５により紙幣を揃えながら紙幣の集積を行う。各収納庫２５ａ〜２５ｅから入出金口２１に出金金額に応じた枚数の紙幣をした後、紙幣制御部２７は、シャッタ２１２を開状態にするように制御する。これにより、利用者に対して紙幣が払い出される。
【００４４】
続いて、入出金口２１の構造について詳細に説明する。図９は、入出金口２１の詳細構造を示す図である。図面において、右側が装置前面側（利用者側）、下側が重力方向である。
【００４５】
図３で説明した通り、紙幣が収納される収納部２１１と、収納部２１１を開閉するシャッタ２１２と、収納部２１１内の紙幣を分離する分離ローラ２１３と、分離された紙幣を繰り出すフィードローラ２１４と、紙幣を集積するシートローラ２１５とが設けられている。また、収納部２１１は、装置前面側に設けられた押板２１６と、押板２１６よりも装置後面側に設けられたスタックガイド２１７と、底面側に設けられた底板２１８と、側面側に設けられた側板（図示せず）とにより、紙幣の収納領域を構成する。
【００４６】
入出金口２１は、利用者による紙幣の出し入れを容易とするように、全体を水平面に対して、装置前面側に傾斜した構造となっている。入出金口２１全体が、装置前面側に傾斜しているため、収納部２１に収納された紙幣は、重力の作用によって押板２１６側に寄り掛かった状態となる。
【００４７】
図１０は、押板２１６の構造を示す図である。押板２１６は、両脇に凸部２１６ａと、中央に凹部２１６ｂとを設けた形状である。凸部２１６ａは、重力によって寄り掛った紙幣を受け止める部分である。凹部２１６ｂは、凸部２１６ａとの段差により、紙幣の中央部周辺に空間を形成する。利用者は、凹部２１６ｂと堆積された紙幣との間に形成された空間を覗くことにより、視野角θの範囲で紙幣を確認することが可能となる。
【００４８】
また、入出金口２１は、紙幣を照射する照射手段２１９を設けている。入出金口２１が装置前面側へ傾斜した構造であるため、装置後面側（スタックガイド２１７側）に照射手段２１９を設け、紙幣を照射する場合、装置前面側に光が照射されるため、スタックガイド２１７と、堆積された紙幣との間の空間を照射することになる。すなわち、利用者側から確認できる紙幣面に光が照射されないため、紙幣の視認性の向上に繋がらない点において問題である。また、利用者の目に光が直接射し込まれる可能性があるため、照射手段２１９を装置後面側に設けることは望ましくない。
【００４９】
一方、装置前面側に照射手段２１９を設け、紙幣を照射する場合、重力によって紙幣が押板２１６に寄り掛った状態となるため、紙幣面に照射した光が、堆積された紙幣に遮られてしまう。このとき、押板２１６の凹部２１６ｂに沿って光を通し、宙吊りになっている紙幣の中央部を照射することが可能である。
【００５０】
また、押板２１６の凹部２１６ｂの一部に、可視光を透過させる透過部２１６ｃを設けると共に、照射手段２１９を押板２１６よりも装置前面側に配置し、照射手段から照射された光が透過部２１６ｃを通過する。これにより、利用者から紙幣を視認し得る空間を拡大させ、視野角θを大きくさせると共に、照射手段２１９と紙幣との距離が近くなるため、当該空間の光量を十分に確保させることが可能である。
【００５１】
なお、照射手段２１９は、押板２１６よりも装置前面側に固定する構造としても良いし、押板２１６に埋め込むこと等により、押板２１６と共に移動する構造としても良い。また、透過部２１６ｃは、押板２１６に設けられた貫通孔としたり、押板２１６に透明材料からなるプレートを嵌め込んだ構造としても良い。
【００５２】
このような構成を採用することにより、入出金口２１の紙幣の視認性を向上させ、入出金時の操作性の向上や、紙幣の入出金口からの取忘れ防止が可能となる。また、押板２１６より装置前面側に設けられた照射手段２１９から、透過部２１６ｃを通して紙幣を照射することにより、照射手段２１９と紙幣との距離が近くなり、光量を確保しやすく、視認性の向上ができる。また、省電力の観点でも効果が期待できる。
［実施例２］
以下、第２の実施形態について詳細に説明する。本実施形態は、第１の実施形態における押板２１６の透過部２１６ｃの構造が異なるものであるが、他の構造に関しては、第１の実施形態と共通する。
【００５３】
本実施形態における透過部２１６ｃの一部領域には、押板２１６に嵌め込む透明材料からなるプレートに、紙幣をイメージさせる図柄、矢印等の印刷が施されており、印刷が施された領域については可視光が遮断される。すなわち、透過部２１６ｃの内、印刷が施されていない部分を第１の部分、印刷が施された部分を第２の部分とした場合、第２の部分は、第１の部分より可視光の透過率が低くなる。なお、第２の部分に相当する領域の加工には、光を散乱させるために網点パターンなどの印刷を用いる他、印刷以外の方法（例えば、散乱シートを貼り付ける）等を用いてもよい。
【００５４】
印刷が施された透過部２１６ｃに、照射手段２１９により光を照射することにより、紙幣を照射するだけでなく、紙幣投入位置を案内する誘導灯として利用することが可能である。このような誘導灯は、従来、入出金口２１の収納部２１１から離れた位置に設けられていたため、投入位置が直感的に理解されにくい等の問題があった。一方、本実施形態の場合、収納部２１１の内部において、紙幣投入位置を案内することが可能であり、投入位置が直感的に理解されやすくなる。また、現金自動預払機１に硬貨を扱う機能を備えている場合、透過部２１６ｃに紙幣をイメージさせる図柄を印刷しておくことにより、紙幣投入口と硬貨投入口とを間違えることによって発生する誤投入を防止することが可能である。
【００５５】
本実施形態によれば、入出金口２１に誘導機能が追加されるため、第１の実施形態において説明した効果に加え、紙幣の投入位置を明確に示し、紙幣と硬貨との誤投入が防止されることにより、更なる操作性の向上が可能となる。
［実施例３］
以下、第３の実施形態について詳細に説明する。本実施形態は、第１の実施形態におけるシャッタ２１２の構造が異なるものであるが、他の構造に関しては、第１の実施形態と共通する。
【００５６】
図１１は、本実施形態における、入出金口の詳細構造を説明する図である。シャッタ２１２は、一部に可視光を透過する透過部２１２ａを備えた構造である。シャッタ２１２が閉状態である場合に、照射手段２１９により光を照射し、光の一部が透過部２１２ａを通過することにより、紙幣投入位置を案内する誘導灯として利用することが可能である。なお、透過部２１２ａに、第２の実施形態で述べたような、図柄、矢印等の印刷を施したり、光を散乱させる処理を施すことにより、より明確な誘導が可能となる。
【００５７】
このように、シャッタ２１２に透過部２１２ａを設けることにより、利用者が入出金口２１の収納部２１１に紙幣を投入する前に、紙幣の投入位置を明確に示すことにより、更なる操作性の向上が可能となる。
［実施例４］
以下、第４の実施形態について詳細に説明する。本実施形態は、第１の実施形態における照射手段２１９の構造が異なるものであるが、他の構造に関しては、第１の実施形態と共通する。
【００５８】
図１２は、本実施形態における、入出金口の詳細構造を説明する図である。照射手段２１９は、シャッタ２１２の上部の空間を照射し、入出金口２１に投入される紙幣に対して、図柄、矢印等を投影する。例えば、照射手段２１９を複数の発光ダイオードで構成する場合、一部の照射手段２１９の光軸を、収納部２１１の上方に向け、その光軸上の透過部２１６ｃに、図柄、矢印等の印刷を施す。または、図柄、矢印等の印刷が施されている透過部２１６ｃの厚みを部分的に変え、照射手段２１９より照射された光の一部を屈折させ、収納部２１１の上方に向ける構成としても良い。
【００５９】
このように、入出金口２１に投入される紙幣に対して、図柄、矢印等を投影することにより、紙幣の投入を案内する機能を実現させることが可能である。
［実施例５］
以下、第５の実施形態について詳細に説明する。本実施形態は、第１の実施形態における照射手段２１９の動作が異なるものであるが、構造に関しては、第１の実施形態と共通する。
【００６０】
入金動作において紙幣が返却された場合や、出金動作の場合において、紙幣が収納部２１１に収納された後、紙幣制御部２７は、照射手段２１９を点灯させて紙幣の照射を行い、シャッタ２１２を開状態にするように制御する（Ｓ１０１）。なお、紙幣制御部２７は、シャッタ２１２を開状態にした後、照射手段２１９を点灯させて紙幣の照射を行うように制御しても良い。その後、紙幣制御部２７は、タイマを起動し（Ｓ１０２）、所定の時間が経過しても、収納部２１１に紙幣が残留したままでないか（すなわち、紙幣が取り忘れられてないか）を、入出金口２１のセンサ（図示せず）の出力結果により判断する（Ｓ１０３、Ｓ１０４）。所定の時間内に収納部２１１内の紙幣が全て抜き取られた場合、紙幣制御部２７は、シャッタ２１２を閉状態にすると共に、照射手段２１９を消灯させるように制御する（Ｓ１０５）。一方、所定の時間が経過しても、収納部２１１に紙幣が残留している場合、紙幣制御部２７は、照射手段２１９を点灯から点滅に変更するように制御する。
【００６１】
これにより、利用者に対して入出金口２１へ注意を向かわせ、紙幣の取り忘れを知らせることが可能となる。すなわち、入金動作時及び出金動作時における、紙幣の取忘防止機能を向上させることが可能である。
【００６２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、上記の実施例の構成の一部を他の実施例の構成に置き換えることが可能であり、また、上記の実施例の構成に他の実施例の構成を加えることも可能である。また、各実施例の構成の一部について、他の構成の追加・削除・置換をすることが可能である。
【符号の説明】
【００６３】
１：現金自動取引装置、２：紙幣取扱装置、２１；入出金口、２１１：収納部、２１２：シャッタ、２１２ａ：透過部、２１６：押板、２１６ａ：凸部、２１６ｂ：凹部、２１６ｃ：透過部
【図１】
2015225622.tif 000003
【図２】
2015225622.tif 000004
【図３】
2015225622.tif 000005
【図４】
2015225622.tif 000006
【図５】
2015225622.tif 000007
【図６】
2015225622.tif 000008
【図７】
2015225622.tif 000009
【図８】
2015225622.tif 000010
【図９】
2015225622.tif 000011
【図１０】
2015225622.tif 000012
【図１１】
2015225622.tif 000013
【図１２】
2015225622.tif 000014
【図１３】
2015225622.tif 000015